(57)【要約】【課題】  広画角、高倍率で全ズーム範囲に渡り高い光学性能を有するズームレンズ及びそれを有する撮像装置を提供すること。【解決手段】  物体側から像側へ順に、正の第１レンズ群と、負の第２レンズ群と、１つ又は２つのレンズ群と、最も像側に正の最終レンズ群と、からなり、互いに隣接するレンズ群の間隔は変倍に伴い変化し、前記第１レンズ群及び前記最終レンズ群は変倍のためには移動せず、前記第２レンズ群を含む２つ以上のレンズ群は変倍に際して移動し、前記第２レンズ群より像側に、互いに接合又は近接して配置された正レンズＬｐと負レンズＬｎを含み、前記正レンズＬｐの２５℃におけるｄ線に対するｄｎ／ｄｔ値をＤｐ、焦点距離をｆｐ、前記負レンズＬｎの２５℃におけるｄ線に対するｄｎ／ｄｔ値をＤｎ、焦点距離をｆｎとするとき、    ７．０≦Ｄｐ≦１２．０    ０．０１≦Ｄｐ／ｆｐ＋Ｄｎ／ｆｎ≦０．３５なる条件式を満足する。【選択図】  図１
2018194730.tif 000002
【特許請求の範囲】
【請求項１】
物体側から像側へ順に、正の屈折力を有する第１レンズ群と、負の屈折力を有する第２レンズ群と、１つ又は２つのレンズ群と、最も像側に正の屈折力を有する最終レンズ群と、からなり、互いに隣接するレンズ群の間隔は変倍に伴い変化し、前記第１レンズ群及び前記最終レンズ群は変倍のためには移動せず、前記第２レンズ群を含む２つ以上のレンズ群は変倍に際して移動し、
前記第２レンズ群より像側に、互いに接合又は近接して配置された正レンズＬｐと負レンズＬｎを含み、前記正レンズＬｐの２５℃におけるｄ線に対するｄｎ／ｄｔ値をＤｐ、焦点距離をｆｐ、前記負レンズＬｎの２５℃におけるｄ線に対するｄｎ／ｄｔ値をＤｎ、焦点距離をｆｎとするとき、
７．０≦Ｄｐ≦１２．０
０．０１≦Ｄｐ／ｆｐ＋Ｄｎ／ｆｎ≦０．３５
なる条件式を満足することを特徴とするズームレンズ。
【請求項２】
前記正レンズＬｐのアッベ数をνｐ、前記負レンズＬｎのアッベ数をνｎとするとき、
−１０≦νｎ−νｐ≦１０
なる条件式を満足することを特徴とする、請求項１に記載のズームレンズ。
なお、フラウンフォーファ線のＦ線（４８６．１ｎｍ）、ｄ線（５８７．６ｎｍ）、Ｃ線（６５６．３ｎｍ）に対する屈折率をそれぞれＮＦ、Ｎｄ、ＮＣとするとき、アッベ数νは、
ν＝（Ｎｄ−１）／（ＮＦ−ＮＣ）
で表されるものとする。
【請求項３】
前記正レンズＬｐの部分分散比をθｐ、前記負レンズＬｎの部分分散比をθｎとするとき、
−０．０２≦θｎ−θｐ≦０．０２
なる条件式を満足することを特徴とする、請求項１又は２に記載のズームレンズ。
なお、フラウンフォーファ線のｇ線（４３５．８ｎｍ）、Ｆ線（４８６．１ｎｍ）、ｄ線（５８７．６ｎｍ）、Ｃ線（６５６．３ｎｍ）に対する屈折率をそれぞれＮｇ、ＮＦ、Ｎｄ、ＮＣとするとき、部分分散比θは、
θ＝（Ｎｇ−ＮＦ）／（ＮＦ−ＮＣ）
で表されるものとする。
【請求項４】
前記正レンズＬｐと前記負レンズＬｎの空気間隔をＥｐｎとするとき、
｜１／ｆｐ＋１／ｆｎ−Ｅｐｎ／（ｆｐ×ｆｎ）｜≦０．０２５
なる条件式を満足することを特徴とする、請求項１乃至３のいずれか１項に記載のズームレンズ。
【請求項５】
絞りを含み、
前記正レンズＬｐと前記負レンズＬｎの空気間隔をＥｐｎ、前記ズームレンズの広角端における前記絞りから像面までの距離をＬｉとするとき、
０≦Ｅｐｎ／Ｌｉ≦０．２
なる条件式を満足することを特徴とする、請求項１乃至４のいずれか１項に記載のズームレンズ。
【請求項６】
請求項１から５のいずれか１項に記載のズームレンズと前記ズームレンズによって形成された像を受光する固体撮像素子を有することを特徴とする撮像装置。
【発明の詳細な説明】
【技術分野】
【０００１】
本発明は、ズームレンズ及びそれを有する撮像装置に関し、特に放送用テレビカメラ、映画用カメラ、デジタルスチルカメラ、銀塩写真用カメラ等に好適なものである。
【背景技術】
【０００２】
近年、テレビカメラや映画用カメラ、写真用カメラ等の撮像装置には、大口径比、高ズーム比かつ高い光学性能を有したズームレンズが要望されている。特に、プロフェッショナルの動画撮影システムとしてのテレビ、映画用カメラに用いられているＣＣＤやＣＭＯＳ等の撮像デバイスは、撮像範囲全体が略均一の解像力を有している。そのため、これを用いるズームレンズに対しては、画面中心から画面周辺まで解像力が略均一で、色収差の少ないことが要求されている。更に、近年の撮像デバイス素子の精密化や、大口径比レンズへの要望の高まりもあって、ピント合わせに対する要求が非常に厳しくなってきている。特に屋外撮影で使用されるレンズにおいては、日中の気温変動や季節による温度の変化があってもピント状態の変動が少ないレンズが要望されている。
【０００３】
大口径比、高ズーム比のズームレンズとして、物体側から像側へ順に正の屈折力の第１レンズ群、負の屈折力の第２レンズ群を有し、全系が４群又は５群からなるポジティブリード型のズームレンズが知られている。例えば、特許文献１では変倍比１８．５、口径比１．５〜１．８程度のズームレンズが開示されている。また、特許文献２では変倍比１９．５〜２１、口径比１．８〜２．６程度のズームレンズが開示されている。
【先行技術文献】
【特許文献】
【０００４】
【特許文献１】特開２０１０−２７６７６１号公報
【特許文献２】特開２０１３−３３２４２号公報
【発明の概要】
【発明が解決しようとする課題】
【０００５】
前述した特許文献には、部分分散比の高い光学材料からなるレンズを採用して、特に色収差を良好に補正して高い光学性能を実現したズームレンズが記載されている。一般的に、高ズーム比を図るために望遠端焦点距離を長くすると、望遠端の諸収差のうち、軸上色収差が多く発生する。望遠端を含めズーム全域の軸上色収差を低減させる為には、低分散・高部分分散比を有する光学材料で形成された正の屈折力を有するレンズ（以下、正レンズと記す）を、軸上光束がレンズの高い位置を通過する部位に配置することが有効である。大口径比の光学系では焦点深度も浅く、許容される軸上色収差量も少ないことから、上述のような低分散・高部分分散比を有する材料から成る正レンズの多用が必要になってくる。
【０００６】
しかしながら、現存する低分散・高部分分散比の光学材料の多くは、一般的な硝材に対して屈折率の温度係数（以下、ｄｎ／ｄｔと記す）がマイナスに大きい傾向にある。その為、正の屈折力を有する色収差補正ユニットにおいて、ｄｎ／ｄｔ値がマイナスに大きい正レンズを多用すると、温度上昇に伴う光学系のピント位置ズレを増大させてしまう。このとき、色収差補正の対となる負レンズには高分散・低部分分散比の硝材を採用することが好ましいが、ｄｎ／ｄｔ値がプラスに大きい傾向にあり、温度上昇に伴うピント位置ズレをより増大させてしまう傾向にある。逆に、温度が下降した場合はピント位置ズレをマイナス方向に増長させる特性になってしまい、やはり少しの温度変化に対して焦点深度を外れやすくなるという意味においては同様に好ましくない。
【０００７】
よって、軸上色収差補正の為に低分散・高部分分散比の正レンズと高分散・低部分分散比の負レンズの色収差補正ユニットを多用すると、温度変化に対するピント位置の変化が益々増大する傾向となり、実使用上ユーザーに頻繁にピント位置の取り直しを強いることになる。望遠側はフォーカス調整機構により比較的容易にピントを取り直せるが、広角側はフォーカス群のピント敏感度も小さく、ピント調整が容易ではない。広角側のピント調整機構を新たに設けることは機構的な煩雑さを増大させ、光学系の小型軽量化の要望に反する結果となる。
【０００８】
特許文献１に開示されているズームレンズは、第４群内の後群にｄｎ／ｄｔ値がマイナスに大きい高部分分散材からなる正レンズを採用している。更なる高ズーム比化と軸上色収差のズーム全域での良好な補正を両立させる際には、第３群及び第４群の正レンズに低分散・高部分分散比の硝材をより多く採用することが必要になってくる。また、特許文献２に開示されているズームレンズは異常分散性を有する材料からなる正レンズのｄｎ／ｄｔ値がガラスに比べて１０倍以上と非常に大きいため、その影響を相殺する為に他レンズの選択が限られてしまう。更に、最終レンズ群全体の軸上色収差補正バランス、及び、温度によるピント位置変動特性に改善の余地がある。
【０００９】
そこで、本発明は大口径比、高ズーム比でありながら、ズーム全域の色収差補正バランスを良好に保ち、且つ、主に広角端の温度変化によるピント位置ズレを低減しているズームレンズの提供を目的とする。具体的には、変倍比１８倍〜９３倍程度、広角端口径比１．５〜１．８程度のズームレンズの提供を目的とする。
【課題を解決するための手段】
【００１０】
上記目的を達成するために、本発明のズームレンズは、物体側から像側へ順に、正の屈折力を有する第１レンズ群、負の屈折力を有する第２レンズ群、１つ又は２つのレンズ群、正の屈折力を有する最終レンズ群からなり、互いに隣接するレンズ群の間隔は変倍に伴い変化し、第１レンズ群及び最終レンズ群は変倍のためには移動せず、前記第２レンズ群を含む２つ以上のレンズ群は変倍に際して移動し、
第２レンズ群より像側に、互いに接合又は近接して配置された正レンズＬｐと負レンズＬｎを含み、前記正レンズＬｐの２５℃におけるｄ線に対するｄｎ／ｄｔ値をＤｐ、焦点距離をｆｐ、前記負レンズＬｎの２５℃におけるｄ線に対するｄｎ／ｄｔ値をＤｎ、焦点距離をｆｎとするとき、
７．０≦Ｄｐ≦１２．０
０．０１≦Ｄｐ／ｆｐ＋Ｄｎ／ｆｎ≦０．３５
なる条件式を満足することを特徴とする。
【発明の効果】
【００１１】
本発明の特徴により、主に広角端の温度変化によるピント位置ズレを低減しつつ、レンズ全系の色収差補正バランスを良好に保つことが可能な、大口径、高ズーム比のズームレンズを得ることができるという効果が得られる。
【図面の簡単な説明】
【００１２】
【図１】数値実施例１の広角端、無限遠合焦時のレンズ断面図
【図２】数値実施例１の広角端（ａ）、ズーム中間（ｂ）、望遠端（ｃ）で無限遠合焦時の収差図
【図３】数値実施例２の広角端、無限遠合焦時のレンズ断面図
【図４】数値実施例２の広角端（ａ）、ズーム中間（ｂ）、望遠端（ｃ）で無限遠合焦時の収差図
【図５】数値実施例３の広角端、無限遠合焦時のレンズ断面図
【図６】数値実施例３の広角端（ａ）、ズーム中間（ｂ）、望遠端（ｃ）で無限遠合焦時の収差図
【図７】数値実施例４の広角端、無限遠合焦時のレンズ断面図
【図８】数値実施例４の広角端（ａ）、ズーム中間（ｂ）、望遠端（ｃ）で無限遠合焦時の収差図
【図９】数値実施例５の広角端、無限遠合焦時のレンズ断面図
【図１０】数値実施例５の広角端（ａ）、ズーム中間（ｂ）、望遠端（ｃ）で無限遠合焦時の収差図
【図１１】数値実施例６の広角端、無限遠合焦時のレンズ断面図
【図１２】数値実施例６の広角端（ａ）、ズーム中間（ｂ）、望遠端（ｃ）で無限遠合焦時の収差図
【図１３】数値実施例７の広角端、無限遠合焦時のレンズ断面図
【図１４】数値実施例８の広角端（ａ）、ズーム中間（ｂ）、望遠端（ｃ）で無限遠合焦時の収差図
【図１５】硝材のアッベ数と部分分散比の分布図
【図１６】本発明の撮像装置の要部概略図
【発明を実施するための形態】
【００１３】
以下に、本発明の好ましい実施の形態を、添付の図面に基づいて詳細に説明する。
まず、本発明のズームレンズの特徴について、各条件式に沿って説明する。本発明のズームレンズは、大口径比、高ズーム比で、特に広角端の温度変化によるピント位置ズレを抑制しつつ、ズーム全域の軸上色収差の良好な補正を達成するために、第２レンズ群より像側に含まれる正レンズと負レンズのパワーやｄｎ／ｄｔ値のバランスを適切に規定している。以下、本発明の特徴となる正レンズをＬｐ、負レンズをＬｎと記す。
【００１４】
本発明のズームレンズは、物体側から像側へ順に、正の屈折力の第１レンズ群、負の屈折力の第２レンズ群、１つ又は２つのレンズ群と、屈折力の最終レンズ群からなる。互いに隣接するレンズ群間の間隔は変倍に伴い変化し、該ズームレンズの第１レンズ群及び最終レンズ群は変倍のためには移動せず、第２レンズ群を含む２つ以上のレンズ群が変倍に際して移動する。
【００１５】
本発明のズームレンズは、第２レンズ群より像側に、互いに接合又は近接して配置された正レンズＬｐと負レンズＬｎを含む。該正レンズＬｐの２５℃におけるｄ線に対するｄｎ／ｄｔ値をＤｐ、焦点距離をｆｐ、該負レンズＬｎの２５℃におけるｄ線に対するｄｎ／ｄｔ値をＤｎ、焦点距離をｆｎとするとき、
７．０≦Ｄｐ≦１２．０  ・・・（１）
０．０１≦Ｄｐ／ｆｐ＋Ｄｎ／ｆｎ≦０．３５  ・・・（２）
なる条件式を満足することを特徴とする。
【００１６】
ここで、本発明で用いているレンズ材料のｄｎ／ｄｔ値は、各硝材メーカーがカタログ上で「ｄｎ／ｄｔ  ｒｅｌａｔｉｖｅ（１０-6／℃）」として記載している各硝種の２５℃のｄ線に対する屈折率の温度係数値とする。例えば、本実施例１の正レンズＬｐに使用している硝材に関して、２０１６年現在ＯＨＡＲＡ社が提示するｄ線のｄｎ／ｄｔ値を表２に示す。２５℃の温度係数は、２０〜４０℃の欄に記入されている９．２を条件式（１）の正レンズＬｐのｄｎ／ｄｔ値Ｄｐとして採用する。
２５℃が５〜２５℃と２５℃〜４５℃等のようなある温度範囲の上下限として記載されていたり、２つの領域に共有されている場合は、その２つの領域の記載しているｄｎ／ｄｔ値の和の平均を取り、条件式（１）の正レンズＬｐのｄｎ／ｄｔ値Ｄｐとして採用する。
【００１７】
（１）式は温度変化に伴うピント位置ズレを効果的に低減させることが可能な正レンズＬｐのｄｎ／ｄｔ値の範囲を規定している。（１）式の下限の条件が満たされないと、ｄｎ／ｄｔ値のプラス特性が不足し、温度変化によるピント位置ズレを低減させる効果を充分に発揮させることが困難となる。（１）式の上限の条件が満たされないと、ｄｎ／ｄｔ値のプラスが過剰に大きく、最小限のレンズ構成による適切な温度特性と色収差補正のバランス維持が困難となる。
【００１８】
更に好ましくは、（１）式は次の如く設定するのが良い。
７．３≦Ｄｐ≦１１．５  ・・・（１ａ）
更に好ましくは、（１ａ）式は次の如く設定するのが良い。
７．６≦Ｄｐ≦１１．２  ・・・（１ａａ）
【００１９】
また、（２）式は前記正レンズＬｐのｄｎ／ｄｔ値と焦点距離、該正レンズＬｐに近接又は接合して配置する負レンズＬｎのｄｎ／ｄｔ値と焦点距離の適正な関係を規定している。（２）式を満たすことで、該正レンズＬｐによる温度変化に伴うピント位置ズレの低減効果を適切に発揮させることができる。（２）式の下限の条件が満たされないと、該正レンズＬｐに適切なパワーを持たせることができず、ピント位置ズレを十分に低減させることが困難となる。（２）式の上限の条件が満たされないと、該正レンズＬｐによるピント位置ズレを低減させる効果が過剰となり、温度上昇に対してマイナス方向へピント位置ズレが発生する要因となるため好ましくない。またこれを回避しようとすると、追加で色収差補正群が必要となり、小型軽量化に不利となるため好ましくない。
【００２０】
更に好ましくは、（２）式は次の如く設定するのが良い。
０．０２≦Ｄｐ／ｆｐ＋Ｄｎ／ｆｎ≦０．３３  ・・・（２ａ）
更に好ましくは、（２ａ）式は次の如く設定するのが良い。
０．０４≦Ｄｐ／ｆｐ＋Ｄｎ／ｆｎ≦０．３０  ・・・（２ａａ）
【００２１】
以下、更なる本発明のズームレンズの態様を条件式に基づいて説明するが、必ずしも全ての条件式を満足しなくとも、どれか一つを満足することによって更なる効果を発揮するものである。
【００２２】
更なる本発明のズームレンズの態様として、前記正レンズＬｐのアッベ数をνｐ、前記負レンズＬｎのアッベ数をνｎとするとき、
−１０≦νｎ−νｐ≦１０  ・・・（３）
なる条件式を満足することを特徴とする。
【００２３】
また、前記正レンズＬｐの部分分散比をθｐ、前記負レンズＬｎの部分分散比をθｎとするとき、
−０．０２≦θｎ−θｐ≦０．０２  ・・・（４）
なる条件式を満足することを特徴とする。
【００２４】
ここで、本実施例で用いているレンズ材料のアッベ数νと部分分散比θは下記のように規定する。フラウンフォーファ線のｇ線（４３５．８ｎｍ）、Ｆ線（４８６．１ｎｍ）、ｄ線（５８７．６ｎｍ）、Ｃ線（６５６．３ｎｍ）に対する屈折率をそれぞれＮｇ、ＮＦ、Ｎｄ、ＮＣとするとき、アッベ数νと部分分散比θは（ｂ）式、（ｃ）式で表わす。
ν＝（Ｎｄ−１）／（ＮＦ−ＮＣ）  ・・・（ｂ）
θ＝（Ｎｇ−ＮＦ）／（ＮＦ−ＮＣ）  ・・・（ｃ）
本発明で用いるレンズ材料のアッベ数νは、それぞれ対象となるレンズの材料特性に関して（ｂ）式で算出した値を採用する。また、レンズ材料の部分分散比θはそれぞれ対象となるレンズの材料特性に関して（ｃ）式で算出した値を採用する。
【００２５】
図１５に示すように、現存する光学材料はアッベ数νｄに対し部分分散比θｇＦが狭い範囲に分布しており、νｄが小さいほどθｇＦが大きい傾向を持っている。所定の屈折力Φで、正の屈折力Φｐ、負の屈折力Φｎ、アッベ数νｐ、νｎ、軸上近軸光線の入射高ｈ、瞳近軸光線の入射高Ｈ、の２枚のレンズＧｐ、Ｇｎで構成される薄肉密着系の軸上色収差係数Ｌ、倍率色収差係数Ｔは以下の（ｄ）式及び（ｅ）式で表わされる。
Ｌ＝ｈ×ｈ×（Φｐ／νｐ＋Φｎ／νｎ）  ・・・（ｄ）
Ｔ＝ｈ×Ｈ×（Φｐ／νｐ＋Φｎ／νｎ）  ・・・（ｅ）
【００２６】
ここで、
Φ＝Φｐ＋Φｎ  ・・・（ｆ）
とする。また、軸上近軸光線及び瞳近軸光線は、次のように定義される光線である。軸上近軸光線は、光学系全系の広角端の焦点距離を１に規格化し、光学系に光軸と平行に、入射高を１として入射させた近軸光線である。瞳近軸光線は、光学系全系の広角端の焦点距離を１に規格化し、撮像面の最大像高に入射する光線の内、光学系の入射瞳と光軸との交点を通過する近軸光線である。
【００２７】
（ｄ）式及び（ｅ）式の各レンズの屈折力は、（ｆ）式がΦ＝１となるように規格化されている。３枚以上で構成される場合も同様に考えることができる。（ｄ）式及び（ｅ）式において、Ｌ＝０及びＴ＝０とするとＣ線−Ｆ線の軸上及び像面上での結像位置が合致する。このように、ある特定の２波長に対する色収差を補正することを、一般的に２波長色消し（１次スペクトル補正）と呼ぶ。特に高ズーム比を有するズームレンズでは、変倍に伴う色収差変動を抑制するために、各レンズ群の色収差、すなわちＬ及びＴが概ねゼロ近傍となるように補正される。
【００２８】
この時、物体距離を無限遠として光束を入射した場合のＦ線に対するｇ線の軸上色収差のずれ量及び倍率色収差のずれ量を、それぞれ軸上色収差の２次スペクトル量Δｓ、倍率色収差の２次スペクトル量Δｙとして定義すると、
Δｓ＝−ｈ×ｈ×（θｐ−θｎ）／（νｐ−νｎ）×ｆ  ・・・（ｇ）
Δｙ＝−ｈ×Ｈ×（θｐ−θｎ）／（νｐ−νｎ）×Ｙ  ・・・（ｈ）
であらわされる。ここで、ｆはレンズ全系の焦点距離、Ｙは像高とする。このように、更に特定の波長を加えて、ある特定の３波長に対する色収差を補正することを、一般的に３波長色消し（２次スペクトル補正）と呼ぶ。
【００２９】
ズームレンズの高仕様化の要求に伴い、高倍率のズーム比を達成するほど（ｇ）式の焦点距離ｆが増大するため、軸上色収差の２次スペクトルを低減することが難しくなる。本発明の各実施例では、ズームレンズの広角端焦点距離をｆｗ、望遠端焦点距離をｆｔとするとき、
ｆｔ／ｆｗ≧１８．０  ・・・（ｉ）
を達成しつつ、ズーム全域の軸上色収差の良好な補正と、広角端における温度ピントズレの低減を両立している。
【００３０】
（３）式は、第２レンズ群より像側に配置される正レンズＬｐと負レンズＬｎのアッベ数の差を規定している。（３）式を満たすことで、該正レンズＬｐと該負レンズＬｎの１次スペクトル補正能力を略相殺させ、レンズ系の色収差補正バランスへ与える影響を最小限に抑え、ｄｎ／ｄｔの差異による効果のみを効率的に発揮させることが容易となる。（３）式の下限及び上限の条件が満たされないと、該正レンズＬｐと該負レンズＬｎによる色収差補正ユニットに１次スペクトル補正効果を持たせてしまう事になり、更なる色収差補正群が必要となるため、小型化や軽量化の面で不利となり好ましくない。
【００３１】
更に好ましくは、（３）式は次の如く設定するのが良い。
−８≦νｎ−νｐ≦８  ・・・（３ａ）
更に好ましくは、（３ａ）式は次の如く設定するのが良い。
−４≦νｎ−νｐ≦４  ・・・（３ａａ）
更に好ましくは、（３ａａ）式は次の如く設定するのが良い。
−２≦νｎ−νｐ≦２  ・・・（３ａａａ）
【００３２】
同様に、（４）式は、第２レンズ群より像側に配置される正レンズＬｐと負レンズＬｎの部分分散比の差を規定している。（４）式を満たすことで、該正レンズＬｐと該負レンズＬｎの２次スペクトル補正能力を略相殺させ、レンズ系の色収差補正バランスに与える影響を最小限に抑え、ｄｎ／ｄｔの差異による効果のみを効率的に発揮させることが容易となる。（４）式の下限及び上限の条件が満たされないと、該正レンズＬｐと該負レンズＬｎによる色収差補正ユニットに２次スペクトル補正効果を持たせてしまう事になり、更なる色収差補正群が必要となるため、小型化や軽量化の面で不利となり好ましくない。
【００３３】
更に好ましくは、（４）式は次の如く設定するのが良い。
−０．０１５≦θｎ−θｐ≦０．０１５  ・・・（４ａ）
更に好ましくは、（４ａ）式は次の如く設定するのが良い。
−０．０１≦θｎ−θｐ≦０．０１  ・・・（４ａａ）
更に好ましくは、（４ａａ）式は次の如く設定するのが良い。
−０．００５≦θｎ−θｐ≦０．００５  ・・・（４ａａａ）
【００３４】
更なる本発明のズームレンズの態様として、前記正レンズＬｐと前記負レンズＬｎの空気間隔をＥｐｎとするとき、
｜１／ｆｐ＋１／ｆｎ−Ｅｐｎ／（ｆｐ×ｆｎ）｜≦０．０２５  ・・・（５）
なる条件式を満足することを特徴とする。
【００３５】
（５）式は、該正レンズＬｐと該負レンズＬｎの合成パワーを近似的に規定するものである。（５）式におけるＥｐｎは該正レンズＬｐと該負レンズＬｎが近接して配置されているときに向かい合う面同士の空気間隔長とし、接合レンズとして配置されている場合はゼロとする。正レンズＬｐと負レンズＬｎのどちらが物体側か像側かは関係なく、空気間隔長は正の数として扱う。また空気間隔の間に薄いガラス等を隔てて配置されている場合は、その媒質の厚みをその媒質のｄ線の屈折率で割った値を空気間隔長として採用し、和をとる。（５）式を満たすことで、該正レンズＬｐと該負レンズＬｎの合成パワーが小さくなり、レンズ系の色収差補正バランスに与える影響を最小限に抑え、ｄｎ／ｄｔの差異による効果のみを効率的に発揮させることが容易となる。（５）式が絶対値表記になっているのは、正レンズＬｐと負レンズＬｎの合成パワーが正でも負でも、本発明の効果を発揮し得るためである。（５）式の条件が満たされないと、該正レンズＬｐと該負レンズＬｎによる色収差補正ユニットに大きなパワーを持たせてしまう事になり、更なる色収差補正群が必要となるため、小型化や軽量化の面で不利となり好ましくない。
【００３６】
更に好ましくは、（５）式は次の如く設定するのが良い。
｜１／ｆｐ＋１／ｆｎ−Ｅｐｎ／（ｆｐ×ｆｎ）｜≦０．０２２  ・・・（５ａ）
更に好ましくは、（５ａ）式は次の如く設定するのが良い。
｜１／ｆｐ＋１／ｆｎ−Ｅｐｎ／（ｆｐ×ｆｎ）｜≦０．０２  ・・・（５ａａ）
【００３７】
更なる本発明のズームレンズの態様として、前記ズームレンズの絞りから撮像面までの空気間隔長をＬｉとするとき、
０≦Ｅｐｎ／Ｌｉ≦０．２  ・・・（６）
なる条件式を満足することを特徴とする。
【００３８】
（６）式は、該正レンズＬｐと該負レンズＬｎの配置されている間隔を規定するものである。（６）式におけるＬｉは前期Ｅｐｎ同様に、絞りから撮像面までの構成における空気間隔とガラス等の光学材料の空気換算長の和とする。（６）式を満たすことで、該正レンズＬｐと該負レンズＬｎは本発明のズームレンズの構成において比較的近接して配置され、同じような色収差補正を担う関係を構成している。（６）式の条件化において、類似の色収差補正能力を有する光学材料からなる正レンズＬｐと負レンズＬｎを配置することにより、レンズ系の色収差補正バランスに与える影響を最小限に抑え、ｄｎ／ｄｔの差異による効果のみを効率的に発揮させることが容易となる。（６）式の条件が満たされないと、正レンズＬｐと負レンズＬｎが担う色収差補正分担の差異が大きくなり、レンズ系の色収差補正バランスに意図せぬ影響を与えてしまい、ｄｎ／ｄｔの差異による効果のみを効率的に発揮させることが難しくなるため好ましくない。
【００３９】
更に好ましくは、（６）式は次の如く設定するのが良い。
０≦Ｅｐｎ／Ｌｉ≦０．１２  ・・・（６ａ）
更に好ましくは、（６ａ）式は次の如く設定するのが良い。
０≦Ｅｐｎ／Ｌｉ≦０．０８  ・・・（６ａａ）
更に好ましくは、（６ａａ）式は次の如く設定するのが良い。
０≦Ｅｐｎ／Ｌｉ≦０．０５  ・・・（６ａａａ）
【００４０】
更に、本発明の撮像装置は、各実施例のズームレンズとズームレンズによって形成された像を受光する所定の有効撮像範囲を有する固体撮像素子を有することを特徴とする。
【００４１】
以下に本発明のズームレンズの具体的な構成について、実施例１〜７に対応する数値実施例１〜７のレンズ構成の特徴により説明する。
【実施例１】
【００４２】
図１は本発明の実施例１（数値実施例１）であるズームレンズにおいて、広角端で無限遠に合焦しているときのレンズ断面図である。図２において、（ａ）は数値実施例１の広角端、（ｂ）は数値実施例１の焦点距離３１．３０ｍｍ、（ｃ）は数値実施例１の望遠端の縦収差図を示している。いずれの収差図も、無限遠に合焦しているときの縦収差図である。また、焦点距離の値は、後述する数値実施例をｍｍ単位で表したときの値である。これは以下の数値実施例においても、全て同じである。
【００４３】
図１において、物体側から像側へ順に、合焦用の正の屈折力の第１レンズ群Ｕ１を有している。更に、広角端から望遠端への変倍に際して、像側へ移動する変倍用の負の屈折力の第２レンズ群Ｕ２を有している。本発明のズームレンズは、正の屈折力の第１レンズ群、変倍用の負の屈折力の第２レンズ群を配置したポジティブリード型のズームレンズである。負の屈折力の第２レンズ群は広角側から望遠側への変倍に際して第１レンズ群と間隔が広がるように移動し、高ズーム比を達成し易いズームタイプを採用している。
【００４４】
更に、第２レンズ群Ｕ２の移動に連動して光軸上を移動し、変倍に伴う像面変動を補正する正の屈折力の第３レンズ群Ｕ３を有している。実施例１では、第２レンズ群Ｕ２、第３レンズ群Ｕ３で変倍系を構成している。更に、変倍のためには移動しない結像作用をする正の屈折力の第４レンズ群Ｕ４を有している。ＳＰは開口絞りであり、第３レンズ群Ｕ３と第４レンズ群Ｕ４の間に配置されており、開口絞りは変倍に際して光軸方向に不動である。ＩＰは像面であり、放送用テレビカメラ、ビデオカメラ、デジタルスチルカメラの撮像光学系として使用する際には、ズームレンズで形成された像を受光し、光電変換する固体撮像素子（光電変換素子）等の撮像面に相当している。フィルム用カメラの撮像光学系として使用する際には、ズームレンズで形成された像が感光するフィルム面に相当する。
【００４５】
縦収差図において、球面収差における直線と二点鎖線は各々ｅ線、ｇ線である。非点収差における点線と実線は各々メリディオナル像面、サジタル像面であり、倍率色収差における二点鎖線はｇ線である。ωは半画角、ＦｎｏはＦナンバーである。縦収差図では、球面収差は０．４ｍｍ、非点収差は０．４ｍｍ、歪曲は１０％、倍率色収差は０．１ｍｍのスケールで描かれている。なお、以下の各実施例において広角端と望遠端は、変倍用の第２レンズ群Ｕ２が機構に対して光軸上を移動可能な範囲の両端に位置したときのズーム位置を指す。
【００４６】
次に、実施例１における各レンズ群の構成について説明する。第１レンズ群Ｕ１は第１面から第１７面に対応する。第１レンズ群Ｕ１は、合焦時に移動しない負の屈折力の第１１レンズ群Ｕ１１、無限遠側から至近側への合焦時に像側へ移動する正の屈折力の第１２レンズ群Ｕ１２、正の屈折力の第１３レンズ群Ｕ１３から構成される。第１１レンズ群Ｕ１１は第１面から第６面に、第１２レンズ群Ｕ１２は第７面から第１１面に、第１３レンズ群Ｕ１３は第１２面から第１７面に対応する。第１３レンズ群Ｕ１３群は合焦時に第１２レンズ群Ｕ１２と連動して移動しても良い。第２レンズ群Ｕ２は第１８面から第２６面に、第３レンズ群Ｕ３は第２７面から第３６面に対応している。開口絞りは第３７面に対応する。第４レンズ群Ｕ４は、第３８面から第５８面に対応する。実施例１のように、第１レンズ群Ｕ１から第４レンズ群Ｕ４のパワー配置が物体側より正負正正と配置されるズームレンズにおいては、第３レンズ群Ｕ３と第４レンズ群Ｕ４に含むレンズが広角端のピントズレに対する敏感度が高くなる傾向にある。そのため、本発明の特徴となるｄｎ／ｄｔ値がプラスに大きい正レンズＬｐ及び色収差補正バランスを整える負レンズＬｎを、第３レンズ群Ｕ３から第４レンズ群Ｕ４に配置することが有効である。実施例１における前記負レンズＬｎは第４４面から第４５面に、前記正レンズＬｐは第４５面から第４６面に対応し、接合レンズとして広角端ピントズレ敏感度の高い第４レンズ群Ｕ４内に配置されている。実施例１では第４レンズ群に前記正レンズＬｐと前記負レンズＬｎを接合レンズとして第４レンズ群に配置することにより、色収差バランスを良好に保持しつつ、広角端における温度によるピントズレをアンダー方向へ補正する効果を発揮している。第５９面から第６１面は色分解光学系光などに相当するダミーガラスである。
【００４７】
上記実施例１に対応する数値実施例１について説明する。数値実施例１に限らず全数値実施例において、ｉは物体側からの面（光学面）の順序を示し、ｒｉは物体側より第ｉ番目の面の曲率半径、ｄｉは物体側より第ｉ番目の面と第ｉ＋１番目の面の間隔（光軸上）を示している。また、ｎｄｉ、νｄｉ、θｇＦｉは、第ｉ番目の面と第ｉ＋１番目の面との間の媒質（光学部材）の屈折率、アッベ数、部分分散比を、ＢＦは空気換算のバックフォーカスを表している。非球面形状は光軸方向にＸ軸、光軸と垂直方向にＨ軸、光の進行方向を正とし、Ｒを近軸曲率半径、ｋを円錐常数、Ａ４、Ａ６、Ａ８、Ａ１０、Ａ１２、をそれぞれ非球面係数としたとき、次式で表している。また、「ｅ−Ｚ」は「×１０-Z」を意味する。
【数１】
2018194730.tif 000003
【００４８】
本実施例の各条件式対応値を表１に示す。実施例１のズームレンズは（１）〜（６）式を満足しており、ズーム比１８．５０、広角端の半画角ωｗ３７．３８°、広角端口径比１．５０の大口径且つ広画角高倍率でありながら、ズーム全域における軸上色収差を良好に補正しつつ、温度によるピントズレの低減を実現している。
【００４９】
図１６は各実施例のズームレンズを撮影光学系として用いた撮像装置（テレビカメラシステム）の概略図である。図１０において１０１は実施例１〜６のいずれかのズームレンズである。１２４はカメラである。ズームレンズ１０１はカメラ１２４に対して着脱可能となっている。１２５はカメラ１２４にズームレンズ１０１を装着することで構成される撮像装置である。ズームレンズ１０１は第１レンズ群Ｆ、変倍部ＬＺ、結像用の後群Ｒを有している。第１レンズ群Ｆは合焦用レンズ群が含まれている。変倍部ＬＺは変倍のために光軸上を移動する第２レンズ群や第３レンズ群などが含まれている。ＳＰは開口絞りである。結像用の後群Ｒには最終レンズ群などが含まれている。１１４、１１５は各々第１レンズ群Ｆ、変倍部ＬＺを光軸方向に駆動するヘリコイドやカム等の駆動機構である。１１６〜１１８は駆動機構１１４、１１５および開口絞りＳＰを電動駆動するモータ（駆動手段）である。１１９〜１２１は、第１レンズ群Ｆや変倍部ＬＺの光軸上の位置や、開口絞りＳＰの絞り径を検出するためのエンコーダやポテンショメータ、あるいはフォトセンサ等の検出器である。カメラ１２４において、１０９はカメラ１２４内の光学フィルタや色分解光学系に相当するガラスブロック、１１０はズームレンズ１０１によって形成された被写体像を受光するＣＣＤセンサやＣＭＯＳセンサ等の固体撮像素子（光電変換素子）である。また、１１１、１２２はカメラ１２４及びズームレンズ１０１の各種の駆動を制御するＣＰＵである。
【００５０】
このように、本発明のズームレンズをテレビカメラに適用することにより、高い変倍比と光学性能を有しつつ、温度によるピントズレが低減された撮像装置を実現している。
【実施例２】
【００５１】
図３は本発明の実施例２（数値実施例２）であるズームレンズにおいて、広角端で無限遠に合焦しているときのレンズ断面図である。図４において、（ａ）は数値実施例２の広角、（ｂ）は数値実施例２の焦点距離３５．６４ｍｍ、（ｃ）は数値実施例２の望遠端の縦収差図を示している。いずれの収差図も、無限遠に合焦しているときの縦収差図である。
【００５２】
図３において、物体側から像側へ順に、合焦用の正の屈折力の第１レンズ群Ｕ１を有している。更に、広角端から望遠端への変倍に際して、像側へ移動する変倍用の負の屈折力の第２レンズ群Ｕ２を有している。更に、変倍に際して移動する正の屈折力の第３レンズ群Ｕ３と、変倍に際して移動する正の屈折力の第４レンズ群Ｕ４を有している。実施例２では、第２レンズ群Ｕ２、第３レンズ群Ｕ３、第４レンズ群Ｕ４で変倍系を構成している。更に、変倍のためには移動しない結像作用をする正の屈折力の第５レンズ群Ｕ５を有している。ＳＰは開口絞りであり、第４レンズ群Ｕ４と第５レンズ群Ｕ５の間に配置されており、開口絞りは変倍に際して光軸方向に不動である。ＩＰは像面である。
【００５３】
数値実施例２の第１レンズ群Ｕ１は第１面から第１７面に対応する。第２レンズ群Ｕ２は第１８面から第２４面に、第３レンズ群Ｕ３は第２５面から第２９面に、第４レンズ群は第３０面から第３４面に対応する。開口絞りは第３５面に対応する。第５レンズ群Ｕ５は、第３６面から第５３面に対応する。実施例２における前記負レンズＬｎは第３６面から第３７面に対応し、前記正レンズＬｐは第３８面から第３９面に対応し、広角端ピントズレ敏感度の高い第５レンズ群Ｕ５内に、其々単レンズとして隣接して配置されている。第５４面から第５６面は色分解光学系光などに相当するダミーガラスである。
【００５４】
実施例２は（１）〜（６）式を満足しており、ズーム比３２．００倍、広角端画角ωｗ４１．１２°、広角端口径比１．５０の大口径且つ広画角高倍率ズームレンズでありながら、ズーム全域における軸上色収差を良好に補正しつつ、温度によるピントズレの低減を実現している。
【実施例３】
【００５５】
図５は本発明の実施例３（数値実施例３）であるズームレンズにおいて、広角端で無限遠に合焦しているときのレンズ断面図である。図６において、（ａ）は数値実施例３の広角、（ｂ）は数値実施例３の焦点距離８２．１７ｍｍ、（ｃ）は数値実施例３の望遠端の縦収差図を示している。いずれの収差図も、無限遠に合焦しているときの縦収差図である。
【００５６】
図５において、物体側から像側へ順に、合焦用の正の屈折力の第１レンズ群Ｕ１を有している。さらに、広角端から望遠端への変倍に際して、像側へ移動する変倍用の負の屈折力の第２レンズ群Ｕ２を有している。第２レンズ群Ｕ２の移動に連動して光軸上を移動し、変倍に伴う像面変動を補正する正の屈折力の第３レンズ群Ｕ３を有している。実施例３では、第２レンズ群Ｕ２、第３レンズ群Ｕ３で変倍系を構成している。さらに、変倍のためには移動しない結像作用をする正の屈折力の第４レンズ群Ｕ４を有している。ＳＰは開口絞りであり、第３レンズ群Ｕ３と第４レンズ群Ｕ４の間に配置されており、開口絞りは変倍に際して光軸方向に不動である。ＩＰは像面である。
【００５７】
数値実施例３の第１レンズ群Ｕ１は第１面から第１０面に対応する。第２レンズ群Ｕ２は第１１面から第１７面に、第３レンズ群Ｕ３は第１８面から第２６面に対応する。実施例３では、変倍群を第２レンズ群Ｕ２と第３レンズ群Ｕ３で構成している。開口絞りは第２７面に対応する。第４レンズ群Ｕ４は第２８面から第４８面に対応する。実施例３における前記負レンズＬｎは第３４面から第３５面に対応し、前記正レンズＬｐは第３５面から第３６面に対応し、接合レンズとして広角端ピントズレ敏感度の高い第４レンズ群Ｕ４内に配置されている。第４９面から第５１面は色分解光学系光などに相当するダミーガラスである。
【００５８】
実施例３は（１）〜（６）式を満足しており、ズーム比９３．２２、広角端の半画角ωｗ３４．５１°、広角端口径比１．８０の大口径且つ広画角高倍率ズームレンズでありながら、ズーム全域における軸上色収差を良好に補正しつつ、温度によるピントズレの低減を実現している。
【実施例４】
【００５９】
図７は本発明の実施例４（数値実施例４）であるズームレンズにおいて、広角端で無限遠に合焦しているときのレンズ断面図である。図８において、（ａ）は数値実施例４の広角、（ｂ）は数値実施例４の焦点距離３１．３０ｍｍ、（ｃ）は数値実施例４の望遠端の縦収差図を示している。いずれの収差図も、無限遠に合焦しているときの縦収差図である。
【００６０】
図７において、物体側から像側へ順に、合焦用の正の屈折力の第１レンズ群Ｕ１を有している。さらに、広角端から望遠端への変倍に際して、像側へ移動する変倍用の負の屈折力の第２レンズ群Ｕ２を有している。第２レンズ群Ｕ２の移動に連動して光軸上を移動し、変倍に伴う像面変動を補正する正の屈折力の第３レンズ群Ｕ３を有している。実施例４では、第２レンズ群Ｕ２、第３レンズ群Ｕ３で変倍系を構成している。さらに、変倍のためには移動しない結像作用をする正の屈折力の第４レンズ群Ｕ４を有している。ＳＰは開口絞りであり、第３レンズ群Ｕ３と第４レンズ群Ｕ４の間に配置されており、開口絞りは変倍に際して光軸方向に不動である。ＩＰは像面である。
【００６１】
数値実施例４の第１レンズ群Ｕ１は第１面から第１７面に対応する。第２レンズ群Ｕ２は第１８面から第２６面に、第３レンズ群Ｕ３は第２７面から第３６面に対応する。実施例４では、変倍群を第２レンズ群Ｕ２と第３レンズ群Ｕ３で構成している。開口絞りは３７面に対応する。第４レンズ群Ｕ４は第３８面から第５５面に対応する。更に、第４レンズ群Ｕ４は、第３８面から第４０面に対応する負の屈折力の第４１レンズ群Ｕ４１と、第４１面から第４５面に対応する第４２レンズ群Ｕ４２と、第４６面から第５５面に対応する第４３レンズ群Ｕ４３を有するように分割しても良い。第４２レンズ群Ｕ４２は、後述する数値実施例５の第４１面から第５０面に該当する部位と挿抜による交換が可能な構成としても良い。
【００６２】
実施例４における前記負レンズＬｎは第２９面から第３０面に対応し、前記正レンズＬｐは第３０面から第３１面に対応し、接合レンズとして広角端ピントズレ敏感度の高い第３レンズ群Ｕ３内に配置されている。また、実施例４では、前記負レンズＬｎとして第４３面から第４４面に対応し、前記正レンズＬｐとして第４４面から第４５面に対応し、接合レンズとして第４レンズ群Ｕ４内にも配置している。本発明の特徴である正レンズＬｐと負レンズＬｎを２組配置することによって、更なる温度によるピントズレの低減効果を発揮させている。第５６面から第５８面は色分解光学系光などに相当するダミーガラスである。
【００６３】
実施例４のｆｐやｆｎには代表して第４３面から第４５面の接合レンズを形成するＬｐとＬｎの特性値を表１に記載する。実施例４の２組の正レンズＬｐと負レンズＬｎは共に（１）〜（５）式を満足しており、ズーム比２０．００、広角端の半画角ωｗ３８．１５°、広角端口径比１．５０の大口径且つ広画角高倍率ズームレンズでありながら、ズーム全域における軸上色収差を良好に補正しつつ、温度によるピントズレの低減を実現している。
【実施例５】
【００６４】
図９は本発明の実施例５（数値実施例５）であるズームレンズにおいて、広角端で無限遠に合焦しているときのレンズ断面図である。図１０において、（ａ）は数値実施例５の広角、（ｂ）は数値実施例５の焦点距離６２．６０ｍｍ、（ｃ）は数値実施例５の望遠端の縦収差図を示している。いずれの収差図も、無限遠に合焦しているときの縦収差図である。
【００６５】
図９において、物体側から像側へ順に、合焦用の正の屈折力の第１レンズ群Ｕ１を有している。さらに、広角端から望遠端への変倍に際して、像側へ移動する変倍用の負の屈折力の第２レンズ群Ｕ２を有している。第２レンズ群Ｕ２の移動に連動して光軸上を移動し、変倍に伴う像面変動を補正する正の屈折力の第３レンズ群Ｕ３を有している。実施例４では、第２レンズ群Ｕ２、第３レンズ群Ｕ３で変倍系を構成している。さらに、変倍のためには移動しない結像作用をする正の屈折力の第４レンズ群Ｕ４を有している。ＳＰは開口絞りであり、第３レンズ群Ｕ３と第４レンズ群Ｕ４の間に配置されており、開口絞りは変倍に際して光軸方向に不動である。ＩＰは像面である。
【００６６】
実施例５の第１レンズ群Ｕ１は第１面から第１７面に対応する。第２レンズ群Ｕ２は第１８面から第２６面に対応する。第３レンズ群Ｕ３は第２７面から第３６面に対応する。第３７面は開口絞りである。第４レンズ群Ｕ４は第３８面から第６０面に対応する。更に、第４レンズ群Ｕ４は、第３８面から第４０面に対応する負の屈折力の第４１レンズ群Ｕ４１と、第４１面から第５０面に対応する第４２レンズ群Ｕ４２と、第５１面から第６０面に対応する第４３レンズ群Ｕ４３から構成されている。
【００６７】
数値実施例５は、数値実施例４で示した第４１面から第４５面に該当する第４２レンズ群Ｕ４２を光路中から退避させ、それに替えて本実施例５の第４１面から第５０面に該当する部位（第４２レンズ群Ｕ４２）を光路中に挿入することによって、レンズ全系の焦点距離を２倍に変換する、所謂、内臓２ｘエクステンダー導入時の態様を示している。
【００６８】
実施例５における前記正レンズＬｐは第４８面から第４９面に対応し、前記負レンズＬｎは第４９面から第５０面に対応し、接合レンズとして配置されている。実施例５のように、光路中に挿抜可能な部位に本発明を適用することで、焦点距離の変換前後の温度特性を独立に制御することも可能である。
【００６９】
実施例５の２組の正レンズＬｐと負レンズＬｎは共に（１）〜（６）式を満足しており、数値実施例４の２ｘエクステンダー導入態様として長焦点距離化を図りながら、ズーム全域における軸上色収差を良好に補正しつつ、温度によるピントズレの低減を実現している。
【実施例６】
【００７０】
図１１は本発明の実施例６（数値実施例６）であるズームレンズにおいて、広角端で無限遠に合焦しているときのレンズ断面図である。図１２において、（ａ）は数値実施例６の広角端、（ｂ）は数値実施例６の焦点距離４０．００ｍｍ、（ｃ）は数値実施例６の望遠端の縦収差図を示している。いずれの収差図も、無限遠に合焦しているときの縦収差図である。
【００７１】
図１１において、物体側から像側へ順に、合焦用の正の屈折力の第１レンズ群Ｕ１を有している。さらに、広角端から望遠端への変倍に際して、像側へ移動する変倍用の負の屈折力の第２レンズ群Ｕ２を有している。更に、変倍に際して移動する正の屈折力の第３レンズ群Ｕ３と、変倍に際して移動する負の屈折力の第４レンズ群Ｕ４を有している。実施例６では、第２レンズ群Ｕ２、第３レンズ群Ｕ３、第４レンズ群Ｕ４で変倍系を構成している。更に、変倍のためには移動しない結像作用をする正の屈折力の第５レンズ群Ｕ５を有している。ＳＰは開口絞りであり、第４レンズ群Ｕ４と第５レンズＵ５の間に配置されており、開口絞りは変倍に際して光軸方向に不動である。ＩＰは像面である。
【００７２】
数値実施例６の第１レンズ群Ｕ１は第１面から第１０面に対応する。第２レンズ群Ｕ２は第１１面から第１６面に対応する。第３レンズ群Ｕ３は第１７面から第２０面に対応する。第４レンズ群Ｕ４は第２１面から第２３面に対応する。実施例６では、変倍群を第２レンズ群Ｕ２と第３レンズ群Ｕ３と第４レンズ群Ｕ４で構成している。第５レンズ群Ｕ５は第２５面から第４６面に対応する。開口絞りは２４面に対応する。
【００７３】
実施例６における前記正レンズＬｐは第３２面から第３３面に対応し、前記負レンズＬｎは第３３面から第３４面に対応し、接合レンズとして広角端ピントズレ敏感度の高い第４レンズ群Ｕ４内に配置されている。第４７面から第４９面は色分解光学系光などに相当するダミーガラスである。
【００７４】
実施例６は（１）〜（６）式を満足しており、ズーム比３８．００倍、広角端口径比１．８５の大口径且つ高倍率ズームレンズでありながら、ズーム全域における軸上色収差を良好に補正しつつ、温度によるピントズレの低減を実現している。
【実施例７】
【００７５】
図１３は本発明の実施例７（数値実施例７）であるズームレンズにおいて、広角端で無限遠に合焦しているときのレンズ断面図である。図１４において、（ａ）は数値実施例７の広角、ｂ）は数値実施例７の焦点距離３１．３０ｍｍ、（ｃ）は数値実施例７の望遠端の縦収差図を示している。いずれの収差図も、無限遠に合焦しているときの縦収差図である。
【００７６】
図１３において、物体側から像側へ順に、合焦用の正の屈折力の第１レンズ群Ｕ１を有している。さらに、広角端から望遠端への変倍に際して、像側へ移動する変倍用の負の屈折力の第２レンズ群Ｕ２を有している。第２レンズ群Ｕ２の移動に連動して光軸上を移動し、変倍に伴う像面変動を補正する正の屈折力の第３レンズ群Ｕ３を有している。実施例４では、第２レンズ群Ｕ２、第３レンズ群Ｕ３で変倍系を構成している。さらに、変倍のためには移動しない結像作用をする正の屈折力の第４レンズ群Ｕ４を有している。ＳＰは開口絞りであり、第３レンズ群Ｕ３と第４レンズ群Ｕ４の間に配置されており、開口絞りは変倍に際して光軸方向に不動である。ＩＰは像面である。
【００７７】
数値実施例７の第１レンズ群Ｕ１は第１面から第１７面に対応する。第２レンズ群Ｕ２は第１８面から第２６面に、第３レンズ群Ｕ３は第２７面から第３６面に対応する。実施例７では、変倍群を第２レンズ群Ｕ２と第３レンズ群Ｕ３で構成している。開口絞りは３７面に対応する。第４レンズ群Ｕ４は第３８面から第５５面に対応する。更に、第４レンズ群Ｕ４は、第３８面から第４０面に対応する負の屈折力の第４１レンズ群Ｕ４１と、第４１面から第４５面に対応する第４２レンズ群Ｕ４２と、第４６面から第５５面に対応する第４３レンズ群Ｕ４３を有すると分割しても良い。第４２レンズ群Ｕ４２は、数値実施例５の第４１面から第５０面に該当する部位と挿抜による交換が可能な部位としても良い。
【００７８】
実施例７で特徴的なのは、前記負レンズＬｎは第４１面から第４２面に対応し、前記正レンズＬｐは第４４面から第４５面に対応し、対象の２つのレンズ間にレンズを有する配置となっていることである。本発明の特徴である正レンズＬｐと負レンズＬｎを接合や隣接ではないが近接して配置することで、温度によるピントズレの低減効果を発揮させている。第５６面から第５８面は色分解光学系光などに相当するダミーガラスである。
【００７９】
実施例７の正レンズＬｐと負レンズＬｎは（１）〜（６）式を満足しており、ズーム比２０．００、広角端の半画角ωｗ３８．１５°、広角端口径比１．５０の大口径且つ広画角高倍率ズームレンズでありながら、ズーム全域における軸上色収差を良好に補正しつつ、温度によるピントズレの低減を実現している。
【００８０】
以上、本発明の好ましい実施形態について説明したが、本発明はこれらの実施形態に限定されず、その要旨の範囲内で種々の変形及び変更が可能である。
【００８１】
＜数値実施例１＞
単位 ｍｍ
面データ
面番号      r         d        nd       νd       θgF     有効径   焦点距離
1      330.65503   4.70000  1.772499   49.60    0.5520    150.303   -189.750
2      101.26412  36.34541                                129.929          
3     -183.15461   4.50000  1.772499   49.60    0.5520    129.327   -233.726
4    19359.76807   0.15000                                129.551           
5      246.44151   9.27710  1.717362   29.51    0.5985    129.808    524.999
6      691.33842   8.84999                                129.052           
7    -1321.45209  15.28058  1.496999   81.54    0.5375    128.082    358.212
8     -157.90362   0.20000                                127.686           
9    -1632.59919   4.40000  1.805177   25.43    0.6100    118.796   -285.015
10      270.23500  13.57890  1.496999   81.54    0.5375    114.859    328.284
11     -407.88649  36.08134                                113.773           
12      593.05823  17.07760  1.496999   81.54    0.5375    120.882    281.259
13     -181.83708   0.15000                                121.487           
14      203.38332  12.43394  1.496999   81.54    0.5375    119.608    389.950
15    -4297.91796   0.15000                                118.801           
16      117.84235   8.63668  1.620411   60.29    0.5427    112.584    530.192
17      178.07027    (可変)                                110.522           
18       87.31062   1.50000  1.882997   40.76    0.5667     41.981   -118.020
19       47.24861   5.81635                                 39.143           
20     -239.96231   1.50000  1.772499   49.60    0.5520     38.908   -102.385
21      119.14944   6.41391                                 38.541           
22      -51.64044   1.50000  1.772499   49.60    0.5520     38.634    -72.786
23     -608.35597   8.12272  1.808095   22.76    0.6307     40.564     51.043
24      -39.23538   0.67532                                 41.534           
25      -36.84928   1.50000  1.816000   46.62    0.5568     41.461    -52.806
26     -251.55141    (可変)                                 44.453           
27     -758.13586   5.26696  1.620411   60.28    0.5426     52.289    179.964
28      -97.91536   0.20000                                 53.210           
29      394.19801   2.50000  1.647689   33.80    0.5884     54.914   -108.595
30       59.89028  12.81078  1.589130   61.18    0.5404     56.292     74.772
31     -155.59949   0.20000                                 56.957           
32      189.10441   8.94404  1.603112   60.70    0.5410     57.541    109.231
33      -99.89556   2.50000  1.846658   23.89    0.6162     57.429   -190.344
34     -261.65311   0.20000                                 57.646           
35      133.98688   7.77885  1.618000   63.39    0.5439     57.105    117.227
36     -155.49372    (可変)                                 56.612           
37        （絞り）  3.80372                                 31.640           
38      -57.83474   1.50000  1.754999   52.32    0.5475     30.451    -21.867
39       23.51315   7.29435  1.808095   22.76    0.6307     29.467     31.594
40      228.76209   5.26664                                 29.060           
41      -39.63675   1.50000  1.834807   42.73    0.5648     28.671    -23.814
42       41.02866   7.85492  1.698947   30.13    0.6030     30.466     68.560
43      251.11450   4.56792                                 32.335           
44      -75.30693   1.50000  1.806098   40.92    0.5701     33.848    -74.243
45      302.62530   9.47257  1.806100   40.93    0.5713     36.222     33.485
46      -29.40650   6.72705                                 37.520           
47      -25.96122   1.49916  1.882997   40.76    0.5667     36.385   -121.909
48      -35.07704   2.99992                                 38.725           
49      677.94200   6.32427  1.654115   39.68    0.5737     41.485     77.840
50      -55.20173   0.87546                                 41.781           
51      102.46962   1.50000  2.000690   25.46    0.6133     39.789    -44.898
52       31.20341  10.32371  1.438750   94.66    0.5340     37.768     56.177
53     -106.74055   0.24782                                 38.002           
54       47.03213  10.66214  1.438750   94.66    0.5340     37.947     52.596
55      -42.37726   0.79243                                 37.315           
56      -93.69419   1.50000  1.854780   24.80    0.6122     33.624    -48.130
57       75.15292   4.15924  1.808095   22.76    0.6307     32.162     69.265
58     -222.77226   5.99996                                 31.598           
59        ∞       33.00000  1.608590   46.44    0.5664     50.000           
60        ∞       13.20000  1.516330   64.15    0.5352     50.000           
61        ∞        9.99000                                 50.000           
像面       ∞
非球面データ
第28面
K = 0.00000e+000  A 4= 2.21810e-007  A 6= 2.77257e-010  A 8=-3.68135e-013
A10= 2.09807e-016  
【００８２】
各種データ
ズーム比     18.50 
焦点距離       7.20    31.30   133.20  
Fナンバー      1.50     1.50     1.85  
画角          37.38     9.97     2.36  
レンズ全長   550.00   550.00   550.00  
BF             9.99     9.99     9.99  
d17            5.71    79.71   112.84  
d26          150.34    62.65     4.40  
d36            2.15    15.84    40.96  
入射瞳位置   100.19   205.74   514.99  
射出瞳位置   212.89   212.89   212.89  
前側主点位置 107.65   241.86   735.64  
後側主点位置   2.79   -21.30  -123.21  
ズームレンズ群データ
群  始面    焦点距離  レンズ構成長  前側主点位置  後側主点位置
1    1     113.04       171.81       120.23         63.79
2   18     -29.50        27.03         8.08        -11.84
3   27      49.00        40.40        15.25        -11.41
4   37      39.34       142.57        48.73          8.72
単レンズデータ
レンズ  始面  焦点距離
1       1   -189.75
2       3   -233.73
3       5    525.00
4       7    358.21
5       9   -285.02
6      10    328.28
7      12    281.26
8      14    389.95
9      16    530.19
10      18   -118.02
11      20   -102.38
12      22    -72.79
13      23     51.04
14      25    -52.81
15      27    179.96
16      29   -108.60
17      30     74.77
18      32    109.23
19      33   -190.34
20      35    117.23
21      38    -21.87
22      39     31.59
23      41    -23.81
24      42     68.56
25      44    -74.24
26      45     33.49
27      47   -121.91
28      49     77.84
29      51    -44.90
30      52     56.18
31      54     52.60
32      56    -48.13
33      57     69.26
34      59      0.00
35      60      0.00
【００８３】
＜数値実施例２＞
単位 ｍｍ
面データ
面番号      r         d        nd       νd       θgF     有効径   焦点距離
1     1080.59269   4.70000  1.788001   47.37    0.5559    185.563   -253.447
2      168.95152  35.00000                                164.868           
3     -286.47959   4.50000  1.772499   49.60    0.5520    163.598   -241.474
4      545.85662   0.30000                                160.618           
5      360.00098  11.90498  1.808095   22.76    0.6307    160.596    493.238
6     3344.99724   2.99993                                159.808           
7     1634.20110  13.87643  1.496999   81.54    0.5375    158.455    613.898
8     -375.43543   0.30000                                157.522           
9      715.91751   4.00000  1.805181   25.42    0.6161    149.414   -365.632
10      209.45350  23.71933  1.496999   81.54    0.5375    143.728    266.033
11     -347.80979  32.64040                                142.319           
12      368.10301  14.89809  1.496999   81.54    0.5375    141.169    445.477
13     -552.10936   0.30000                                141.396           
14      307.85446  14.00560  1.496999   81.54    0.5375    140.978    528.829
15    -1805.85440   0.30000                                140.189           
16      284.74288  11.84727  1.639999   60.08    0.5370    137.112    541.140
17     1546.90558    (可変)                                135.231           
18      276.70758   1.50000  1.788001   47.37    0.5559     60.469   -117.059
19       69.27471   7.67298                                 55.142           
20      691.21762   1.50000  1.763850   48.51    0.5587     52.219    -32.540
21       24.08415   9.47846  1.808095   22.76    0.6307     43.000     58.352
22       40.09204   5.88210                                 41.551           
23      299.87674   1.50000  1.772499   49.60    0.5520     41.285   -186.619
24       97.46029    (可変)                                 40.559           
25      -37.73507   6.00000  1.496999   81.54    0.5375     35.383    197.927
26      -28.73879   1.50000  1.720467   34.71    0.5834     37.698    -91.146
27      -51.95104   0.30000                                 41.170           
28      461.91653   6.00000  1.854780   24.80    0.6122     45.101     75.500
29      -75.39087    (可変)                                 45.752           
30       63.36676   1.50000  1.854780   24.80    0.6122     47.041   -112.529
31       37.92370   9.30397  1.438750   94.66    0.5340     45.602     87.795
32     1953.51970   0.30000                                 45.636           
33       50.73345   7.65369  1.639999   60.08    0.5370     45.840     72.728
34     -557.28865    (可変)                                 45.193           
35        （絞り）  2.98000                                 28.239           
36     -520.36368   1.50000  1.772499   49.60    0.5520     26.368    -32.565
37       26.60140   0.58000                                 24.777           
38       26.78081   3.99993  1.764500   49.09    0.5528     24.900     46.369
39      100.90652   2.03525                                 24.346           
40     -248.45702   1.50000  1.720000   43.69    0.5699     23.940    -40.687
41       33.50031   4.00000                                 23.215           
42       60.00866   7.99997  1.516330   64.14    0.5353     23.880   -126.198
43       29.87062  19.34596                                 23.884           
44       70.03555   5.10942  1.487490   70.23    0.5300     33.163     88.165
45     -109.54759   1.60000  1.854780   24.80    0.6122     33.444    -59.828
46       98.30017   2.46543                                 34.253           
47      136.71061   8.15405  1.595220   67.74    0.5442     35.759     47.145
48      -34.67452   0.30000                                 36.338           
49      111.02881   7.45751  1.496999   81.54    0.5375     34.821     57.216
50      -37.52031   1.50000  2.003300   28.27    0.5980     34.331    -49.818
51     -149.76826   0.30000                                 34.704           
52      113.78483   4.99978  1.892860   20.36    0.6393     34.507     59.921
53     -101.04754   7.99989                                 34.095           
54        ∞       33.00000  1.608590   46.44    0.5664     50.000           
55        ∞       13.20000  1.516330   64.15    0.5352     50.000           
56        ∞       10.00000                                 50.000           
像面       ∞
非球面データ
第18面
K = 0.00000e+000  A 4= 3.17672e-007  A 6= 7.09112e-010  A 8=-3.64841e-013  A10=-1.72564e-016  A12= 4.67335e-020  
第33面
K = 0.00000e+000  A 4=-1.47799e-007  A 6=-3.12454e-009  A 8= 1.57161e-011  A10=-3.27725e-014  A12= 2.46352e-017  
【００８４】
各種データ
ズーム比     32.00 
焦点距離       6.30    35.64   201.60  
Fナンバー      1.50     1.50     2.10  
画角          41.12     8.77     1.56  
レンズ全長   578.00   578.00   578.00  
BF            10.00    10.00    10.00  
d17            2.00   111.29   190.31  
d24          159.59    39.14    10.05  
d29           40.00    31.48     1.00  
d34            1.00    20.67     1.24  
入射瞳位置    114.15   301.16  1695.49  
射出瞳位置     77.37    77.37    77.37  
前側主点位置  121.04   355.65  2500.37  
後側主点位置    3.70   -25.64  -191.60  
ズームレンズ群データ
群  始面    焦点距離  レンズ構成長  前側主点位置  後側主点位置
1    1     170.96       175.29       136.09         64.91
2   18     -29.03        27.53        11.73         -8.10
3   25     126.57        13.80        17.85         11.17
4   30      63.64        18.76         6.34         -6.16
5   35      26.16       130.03        41.99          8.00
単レンズデータ
レンズ  始面  焦点距離
1       1   -253.45
2       3   -241.47
3       5    493.24
4       7    613.90
5       9   -365.63
6      10    266.03
7      12    445.48
8      14    528.83
9      16    541.14
10      18   -117.06
11      20    -32.54
12      21     58.35
13      23   -186.62
14      25    197.93
15      26    -91.15
16      28     75.50
17      30   -112.53
18      31     87.79
19      33     72.73
20      36    -32.57
21      38     46.37
22      40    -40.69
23      42   -126.20
24      44     88.16
25      45    -59.83
26      47     47.14
27      49     57.22
28      50    -49.82
29      52     59.92
30      54      0.00
31      55      0.00
【００８５】
＜数値実施例３＞
単位 ｍｍ
面データ
面番号      r         d        nd       νd       θgF     有効径   焦点距離
1    -3062.24757   4.00000  1.834000   37.16    0.5776    184.071   -369.328
2      345.10500   2.74612                                184.563           
3      356.88481  25.05232  1.433870   95.10    0.5373    185.958    487.259
4     -510.72708  14.00021                                186.782           
5      546.94135  15.99856  1.433870   95.10    0.5373    190.693    781.306
6     -889.51549   0.20000                                190.643           
7      301.79837  15.94580  1.433870   95.10    0.5373    188.138    776.254
8     2797.54624   2.97384                                187.439           
9      162.74021  21.45313  1.496999   81.54    0.5375    177.029    456.328
10      546.88246    (可変)                                175.468           
11     -185.04845   1.50000  2.003300   28.27    0.5980     41.195    -29.186
12       35.27598   9.34178                                 35.595           
13      -41.37929   1.50000  1.816000   46.62    0.5568     35.456    -28.060
14       52.70139  11.54826  1.892860   20.36    0.6393     42.288     29.870
15      -49.51885   2.18417                                 43.539           
16      -39.14669   1.50000  1.834000   37.16    0.5776     43.699   -118.188
17      -65.79678    (可変)                                 46.577           
18       98.27061  16.60414  1.595220   67.74    0.5442     86.765    122.690
19     -270.02195   0.20000                                 86.825           
20       96.63467  11.37642  1.496999   81.54    0.5375     84.609    196.167
21     7925.67201   0.20000                                 83.379           
22       83.45567   2.50000  1.854780   24.80    0.6122     78.936   -119.407
23       45.46937  20.65062  1.438750   94.93    0.5340     71.444    101.345
24    -1956.07766   0.50000                                 70.401           
25      525.23115   3.99727  1.496999   81.54    0.5375     69.366    603.762
26     -702.98322    (可変)                                 68.387           
27        （絞り）  2.92231                                 30.337           
28      -99.76437   1.40000  1.882997   40.76    0.5667     29.196    -28.125
29       33.54258   6.13261  1.808095   22.76    0.6307     28.258     29.966
30      -82.97756   3.17479                                 28.006           
31      -39.09700   1.40000  1.882997   40.76    0.5667     26.891    -22.944
32       43.27598   5.33350  1.531717   48.84    0.5631     27.320     50.041
33      -66.95935   5.88000                                 27.734           
34      -38.44248   1.50000  1.891900   37.13    0.5780     28.449    -24.988
35       54.83836  10.24000  1.834000   37.16    0.5776     31.393     24.956
36      -31.00257   1.75077                                 32.959           
37      217.05729  15.82000  1.595509   39.24    0.5803     32.137    -95.616
38       44.08535   5.98000                                 29.853           
39       34.46274   9.18187  1.589130   61.14    0.5407     31.510     36.886
40      -53.56118   0.50000                                 30.773           
41     -108.82787   1.50000  1.834000   37.16    0.5776     29.302    -26.035
42       27.51437   6.58102  1.518229   58.90    0.5457     27.521     41.000
43      -87.18773   0.50000                                 27.312           
44      207.28540   6.39041  1.516330   64.14    0.5353     26.612     40.876
45      -23.34694   1.50000  1.916500   31.60    0.5911     26.070    -31.597
46     -120.46455   0.50000                                 26.444           
47   -10161.20589   3.62969  1.846660   23.78    0.6205     26.380     56.678
48      -48.23973  10.00000                                 26.331           
49        ∞       33.00000  1.608590   46.44    0.5664     60.000           
50        ∞       13.20000  1.516330   64.15    0.5352     60.000           
51        ∞        5.00000                                 60.000           
像面       ∞
非球面データ
第11面
K = 9.90905e-012  A 4= 2.66099e-006  A 6=-6.10128e-010  A 8=-1.78800e-012  
A10= 6.41551e-015  A12=-8.27496e-018  
第21面
K = 9.90905e-012  A 4= 2.68778e-007  A 6= 9.54917e-011  A 8=-2.59943e-014  
A10= 2.84838e-018  A12= 1.78663e-021  
第26面
K = 9.90905e-013  A 4= 5.50629e-007  A 6=-1.43112e-010  A 8=-1.53398e-013  
A10= 2.24401e-016  A12=-9.82739e-020  
【００８６】
各種データ
ズーム比     93.22 
焦点距離       8.00    82.17   745.78  
Fナンバー      1.80     1.80     4.05  
画角          34.51     3.83     0.42  
レンズ全長   612.82   612.82   612.82  
BF             5.00     5.00     5.00  
d10            3.04   144.54   179.52  
d17          268.79   100.98     7.95  
d26            2.00    28.31    86.35  
入射瞳位置   108.05   940.79   8858.12  
射出瞳位置   406.23   406.23    406.23  
前側主点位置 116.21  1039.79  10990.09  
後側主点位置  -3.00   -77.18   -740.78  
ズームレンズ群データ
群  始面    焦点距離  レンズ構成長  前側主点位置  後側主点位置
1    1     231.69       102.37        57.51        -15.18
2   11     -24.00        27.57         0.78        -20.15
3   18      66.00        56.03         9.78        -29.23
4   27      48.03       148.02        54.62          8.29
単レンズデータ
レンズ  始面  焦点距離
1       1   -369.33
2       3    487.26
3       5    781.31
4       7    776.25
5       9    456.33
6      11    -29.19
7      13    -28.06
8      14     29.87
9      16   -118.19
10      18    122.69
11      20    196.17
12      22   -119.41
13      23    101.34
14      25    603.76
15      28    -28.13
16      29     29.97
17      31    -22.94
18      32     50.04
19      34    -24.99
20      35     24.96
21      37    -95.62
22      39     36.89
23      41    -26.04
24      42     41.00
25      44     40.88
26      45    -31.60
27      47     56.68
28      49      0.00
29      50      0.00
【００８７】
＜数値実施例４＞
単位 ｍｍ
面データ
面番号      r         d        nd       νd       θgF     有効径   焦点距離
1      524.15851   4.70000  1.772499   49.60    0.5520    160.488   -182.148
2      110.91335  36.34541                                138.499           
3     -244.54362   4.50000  1.772499   49.60    0.5520    137.273   -285.413
4     2374.01604   0.20000                                136.815           
5      246.43991   9.27710  1.717362   29.51    0.5985    136.741    477.010
6      849.44535   8.84999                                136.169           
7     9950.26863  15.28058  1.496999   81.54    0.5375    134.227    384.261
8     -195.19628   0.20000                                133.547           
9  -133300.93651   4.40000  1.805177   25.43    0.6100    124.398   -275.904
10      224.59410  14.97890  1.496999   81.54    0.5375    119.381    293.588
11     -410.69095  36.08134                                118.413           
12      501.84314  15.67760  1.496999   81.54    0.5375    113.001    301.548
13     -212.34604   0.15000                                113.530           
14      186.74779  12.43394  1.496999   81.54    0.5375    111.728    346.228
15    -2224.30050   0.15000                                110.837           
16      121.46999   8.63668  1.620411   60.29    0.5427    105.077    703.790
17      163.44542    (可変)                                101.985           
18       91.40245   1.50000  1.882997   40.76    0.5667     46.193   -103.877
19       45.55958   6.00000                                 42.138           
20     -326.63484   1.50000  1.772499   49.60    0.5520     41.953   -115.538
21      123.87172   6.20000                                 40.001           
22      -56.71680   1.50000  1.772499   49.60    0.5520     39.293    -61.216
23      296.30202   8.12272  1.808095   22.76    0.6307     39.227     43.140
24      -39.47989   0.67532                                 39.195           
25      -37.40424   1.50000  1.816000   46.62    0.5568     38.309    -55.714
26     -209.87713    (可変)                                 39.628           
27     1644.20254   5.26696  1.620411   60.28    0.5426     46.091    174.264
28     -116.07251   0.20000                                 46.778           
29      268.03029   2.00000  1.806098   40.92    0.5701     47.343    -73.940
30       48.82720  10.62000  1.806100   40.93    0.5713     47.394     47.298
31     -161.28849   0.20000                                 47.414           
32      185.37276   9.08000  1.603112   60.70    0.5410     46.622     90.918
33      -76.85580   2.00000  1.846658   23.89    0.6162     45.628    -68.746
34      252.89402   0.20000                                 44.854           
35      121.78587   6.57000  1.639999   60.09    0.5365     44.764    107.284
36     -155.49372    (可変)                                 44.215           
37       （絞り）   3.44748                                 28.421           
38      -52.81402   1.50000  1.754999   52.32    0.5475     27.588    -19.791
39       21.22673   6.04030  1.808095   22.76    0.6307     27.247     30.129
40      135.04387  11.21166                                 27.084           
41      -28.07217   1.46891  1.882997   40.76    0.5667     27.066    -31.815
42    -4411.70705   2.99584                                 29.519           
43      -74.97473   1.48637  1.806098   40.92    0.5701     30.950    -92.473
44        0.00000   7.52000  1.808350   40.55    0.5692     33.226     36.147
45      -29.39043   9.99681                                 34.609      0.000
46      111.38149   4.87770  1.654115   39.68    0.5737     38.374     92.081
47     -130.56823   0.30000                                 38.357           
48      122.68250   1.50000  2.000690   25.46    0.6133     37.679    -49.496
49       35.29898   9.45258  1.438750   94.66    0.5340     36.345     55.286
50      -71.77760   0.50000                                 36.549           
51       43.95007   9.23296  1.438750   94.66    0.5340     35.958     54.448
52      -49.24904   0.30000                                 35.261           
53      -78.58441   1.50000  1.854780   24.80    0.6122     33.585    -46.942
54       84.33442   4.48156  1.808095   22.76    0.6307     32.397     60.879
55     -118.14761   5.99998                                 31.960           
56        ∞       33.00000  1.608590   46.44    0.5664     50.000           
57        ∞       13.20000  1.516330   64.15    0.5352     50.000           
58        ∞        9.99000                                 50.000           
像面       ∞   
非球面データ
第28面
K = 0.00000e+000  A 4= 2.02647e-007  A 6=-3.37214e-010  A 8= 8.69990e-013  A10=-6.72498e-016  
【００８８】
各種データ
ズーム比     20.00 
焦点距離       7.00    31.30   140.00  
Fナンバー      1.50     1.50     2.00  
画角          38.15     9.97     2.25  
レンズ全長   535.00   535.00   535.00  
BF             9.99     9.99     9.99  
d17            1.50    75.50   108.63  
d26          156.82    65.87     1.50  
d36            1.69    18.64    49.87  
入射瞳位置   102.09   217.34   632.95  
射出瞳位置   178.87   178.87   178.87  
前側主点位置 109.39   254.44   889.01  
後側主点位置   2.99   -21.31  -130.01  
ズームレンズ群データ
群  始面    焦点距離  レンズ構成長  前側主点位置  後側主点位置
1    1     116.13       171.86       119.14         56.48
2   18     -32.21        27.00         7.27        -12.75
3   27      54.09        36.14         9.68        -12.87
4   37      36.14       130.01        45.36          1.05
単レンズデータ
レンズ  始面  焦点距離
1       1   -182.15
2       3   -285.41
3       5    477.01
4       7    384.26
5       9   -275.90
6      10    293.59
7      12    301.55
8      14    346.23
9      16    703.79
10      18   -103.88
11      20   -115.54
12      22    -61.22
13      23     43.14
14      25    -55.71
15      27    174.26
16      29    -73.94
17      30     47.30
18      32     90.92
19      33    -68.75
20      35    107.28
21      38    -19.79
22      39     30.13
23      41    -31.82
24      43    -92.47
25      44     36.15
26      46     92.08
27      48    -49.50
28      49     55.29
29      51     54.45
30      53    -46.94
31      54     60.88
32      56      0.00
33      57      0.00
【００８９】
＜数値実施例５＞
単位 ｍｍ
面データ
面番号      r         d        nd       νd       θgF     有効径   焦点距離
1      524.15851   4.70000  1.772499   49.60    0.5520    160.655   -182.148
2      110.91335  36.34541                                138.615           
3     -244.54362   4.50000  1.772499   49.60    0.5520    137.427   -285.413
4     2374.01604   0.20000                                136.972           
5      246.43991   9.27710  1.717362   29.51    0.5985    136.903    477.010
6      849.44535   8.84999                                136.335           
7     9950.26863  15.28058  1.496999   81.54    0.5375    134.397    384.261
8     -195.19628   0.20000                                133.724           
9  -133300.93651   4.40000  1.805177   25.43    0.6100    124.542   -275.904
10      224.59410  14.97890  1.496999   81.54    0.5375    119.515    293.588
11     -410.69095  36.08134                                118.557           
12      501.84314  15.67760  1.496999   81.54    0.5375    113.001    301.548
13     -212.34604   0.15000                                113.531           
14      186.74779  12.43394  1.496999   81.54    0.5375    111.728    346.228
15    -2224.30050   0.15000                                110.837           
16      121.46999   8.63668  1.620411   60.29    0.5427    105.077    703.790
17      163.44542    (可変)                                101.985           
18       91.40245   1.50000  1.882997   40.76    0.5667     46.226   -103.877
19       45.55958   6.00000                                 42.163           
20     -326.63484   1.50000  1.772499   49.60    0.5520     41.987   -115.538
21      123.87172   6.20000                                 40.030           
22      -56.71680   1.50000  1.772499   49.60    0.5520     39.326    -61.216
23      296.30202   8.12272  1.808095   22.76    0.6307     39.260     43.140
24      -39.47989   0.67532                                 39.227           
25      -37.40424   1.50000  1.816000   46.62    0.5568     38.337    -55.714
26     -209.87713    (可変)                                 39.628           
27     1644.20254   5.26696  1.620411   60.28    0.5426     46.091    174.264
28     -116.07251   0.20000                                 46.779           
29      268.03029   2.00000  1.806098   40.92    0.5701     47.343    -73.940
30       48.82720  10.62000  1.806100   40.93    0.5713     47.394     47.298
31     -161.28849   0.20000                                 47.414           
32      185.37276   9.08000  1.603112   60.70    0.5410     46.622     90.918
33      -76.85580   2.00000  1.846658   23.89    0.6162     45.628    -68.746
34      252.89402   0.20000                                 44.854           
35      121.78587   6.57000  1.639999   60.09    0.5365     44.764    107.284
36     -155.49372    (可変)                                 44.215           
37       （絞り）   3.44748                                 28.421           
38      -52.81402   1.50000  1.754999   52.32    0.5475     27.588    -19.791
39       21.22673   6.04030  1.808095   22.76    0.6307     27.247     30.129
40      135.04387   3.00000                                 26.627           
41     -480.22887   3.71000  1.496999   81.54    0.5375     27.848    120.802
42      -53.64304   0.30000                                 27.508           
43       15.45485   6.89000  1.589130   61.14    0.5407     24.811     31.235
44       78.91378   1.00000  1.805181   25.42    0.6161     23.126    -22.129
45       14.56236   8.56000                                 20.127           
46     -130.91327   1.00000  1.487490   70.23    0.5300     19.819    -26.371
47       14.34510   1.30000                                 19.941           
48       17.35041   5.56000  1.764500   49.09    0.5528     18.352     16.383
49      -39.44840   1.00000  1.772499   49.60    0.5520     19.169    -23.453
50       34.17727   2.36000                                 18.644           
51      111.38149   4.87770  1.654115   39.68    0.5737     38.345     92.081
52     -130.56823   0.30000                                 38.328           
53      122.68250   1.50000  2.000690   25.46    0.6133     37.651    -49.496
54       35.29898   9.45258  1.438750   94.66    0.5340     36.319     55.286
55      -71.77760   0.50000                                 36.524           
56       43.95007   9.23296  1.438750   94.66    0.5340     35.934     54.448
57      -49.24904   0.30000                                 35.234           
58      -78.58441   1.50000  1.854780   24.80    0.6122     33.562    -46.942
59       84.33442   4.48156  1.808095   22.76    0.6307     32.376     60.879
60     -118.14761   5.99998                                 31.939           
61        ∞       33.00000  1.608590   46.44    0.5664     50.000           
62        ∞       13.20000  1.516330   64.15    0.5352     50.000           
63        ∞        9.99000                                 50.000           
像面       ∞   
非球面データ
第28面
K = 0.00000e+000  A 4= 2.02647e-007  A 6=-3.37214e-010  A 8= 8.69990e-013  A10=-6.72498e-016  
【００９０】
各種データ
ズーム比     20.00 
焦点距離      14.00    62.59   279.94  
Fナンバー      3.10     3.10     4.00  
画角          21.45     5.02     1.13  
レンズ全長   535.00   535.00   535.00  
BF             9.99     9.99     9.99  
d17            1.50    75.50   108.63  
d26          156.82    65.87     1.50  
d36            1.69    18.64    49.87  
入射瞳位置   102.09   217.34   632.95  
射出瞳位置  -166.86  -166.86  -166.86  
前側主点位置 114.98   257.78   469.77  
後側主点位置  -4.01   -52.60  -269.96  
ズームレンズ群データ
群  始面    焦点距離  レンズ構成長  前側主点位置  後側主点位置
1    1     116.13       171.86       119.14         56.48
2   18     -32.21        27.00         7.27        -12.75
3   27      54.09        36.14         9.68        -12.87
4   37     322.61       130.01       165.48        172.88
単レンズデータ
レンズ  始面  焦点距離
1       1   -182.15
2       3   -285.41
3       5    477.01
4       7    384.26
5       9   -275.90
6      10    293.59
7      12    301.55
8      14    346.23
9      16    703.79
10      18   -103.88
11      20   -115.54
12      22    -61.22
13      23     43.14
14      25    -55.71
15      27    174.26
16      29    -73.94
17      30     47.30
18      32     90.92
19      33    -68.75
20      35    107.28
21      38    -19.79
22      39     30.13
23      41    120.80
24      43     31.24
25      44    -22.13
26      46    -26.37
27      48     16.38
28      49    -23.45
29      51     92.08
30      53    -49.50
31      54     55.29
32      56     54.45
33      58    -46.94
34      59     60.88
35      61      0.00
36      62      0.00
【００９１】
＜数値実施例６＞
単位 ｍｍ
面データ
面番号      r         d        nd       νd       θgF     有効径   焦点距離
1      566.61717   3.00000  1.834807   42.73    0.5648    117.638   -248.128
2      151.93590   0.52912                                114.569           
3      153.80938  16.29287  1.433870   95.10    0.5373    114.691    272.325
4     -498.71137  11.25822                                114.611           
5      162.72872   9.54690  1.433870   95.10    0.5373    112.296    439.488
6     1074.66713   0.20000                                111.960           
7      154.79212  12.09729  1.433870   95.10    0.5373    108.265    334.340
8    -2346.08858   0.19044                                107.366           
9      116.68210   5.43885  1.433870   95.10    0.5373     99.180    788.617
10      174.33662    (可変)                                 98.225           
11      174.05307   1.00000  2.001000   29.13    0.5997     29.511    -27.441
12       23.82160   7.65000                                 26.029           
13      -36.01497   0.90000  1.772499   49.60    0.5520     25.465    -30.110
14       67.29903   0.52110                                 26.015           
15       50.89128   3.56166  1.959060   17.47    0.6598     26.581     79.191
16      145.04122    (可変)                                 26.569           
17      248.16782   4.46738  1.808095   22.76    0.6307     27.594     42.054
18      -39.52442   0.99574                                 27.663           
19      -36.27218   1.10000  1.800999   34.97    0.5864     27.162    -64.745
20     -120.42004    (可変)                                 27.361           
21     -103.94127   1.30000  1.719995   50.23    0.5521     36.403    -74.325
22      111.96964   3.96241  1.846660   23.87    0.6205     37.592    138.553
23     2009.07161    (可変)                                 38.134           
24        （絞り）  1.00000                                 39.243           
25      183.19656   5.65689  1.603112   60.64    0.5415     40.156     82.639
26      -68.03725   0.20000                                 40.422           
27       52.61764   4.87530  1.487490   70.23    0.5300     39.802    124.081
28      383.40367   0.50000                                 39.331           
29       65.82373   1.30000  1.846660   23.78    0.6205     38.119   -177.681
30       45.50760   4.12523  1.516330   64.14    0.5353     36.901    130.402
31      135.01648   1.98563                                 36.280           
32       54.93969   4.98687  1.806100   40.93    0.5713     34.459     54.056
33     -207.87500   1.30000  1.806098   40.92    0.5701     33.568    -55.008
34       56.94054   5.00000                                 31.161           
35      -66.88576   1.20000  1.720467   34.71    0.5834     30.537    -56.473
36      106.49969  39.00000                                 30.053           
37       63.83754   5.95332  1.537750   74.70    0.5392     30.017     54.272
38      -52.31527   1.43000                                 29.677           
39     -186.17957   1.20000  1.882997   40.76    0.5667     27.742    -27.644
40       28.36750   5.01731  1.540720   47.23    0.5651     26.501     56.398
41      357.32433   0.66000                                 26.571           
42       59.01172   7.01473  1.516330   64.14    0.5353     26.882     37.153
43      -27.41960   1.20000  1.882997   40.76    0.5667     26.770    -42.068
44     -105.15311   0.13307                                 27.417           
45      120.42055   4.04870  1.717362   29.52    0.6047     27.579     64.096
46      -74.28433   5.28362                                 27.489           
47        ∞       33.00000  1.608590   46.44    0.5664     30.000           
48        ∞       13.20000  1.516800   64.17    0.5347     30.000           
49        ∞       10.00000                                 30.000           
像面       ∞   
【００９２】
各種データ
ズーム比     38.00 
焦点距離      10.00    40.00   380.00  
Fナンバー      1.85     1.85     3.54  
画角          28.81     7.83     0.83  
レンズ全長   390.02   390.02   390.02  
BF            10.00    10.00    10.00  
d10            0.83    80.54   123.41  
d16            6.24     7.98     1.97  
d20          137.42    23.85    20.42  
d23            2.26    34.37     0.95  
入射瞳位置    71.75   162.79   379.20   1462.75   2440.80  
射出瞳位置   242.95   242.95   242.95    242.95    242.95  
前側主点位置  82.18   181.83   426.07   1831.21   3440.68  
後側主点位置   0.00    -7.70   -30.01   -188.81   -370.01  
ズームレンズ群データ
群  始面    焦点距離  レンズ構成長  前側主点位置  後側主点位置
1    1     160.08        58.55        31.62        -11.73
2   11     -15.89        13.63         3.14         -7.08
3   17     114.58         6.56         0.24         -3.80
4   21    -161.00         5.26         0.06         -2.83
5   24      94.60       149.27       123.71       -159.06
単レンズデータ
レンズ  始面  焦点距離
1       1   -248.13
2       3    272.33
3       5    439.49
4       7    334.34
5       9    788.62
6      11    -27.44
7      13    -30.11
8      15     79.19
9      17     42.05
10      19    -64.75
11      21    -74.32
12      22    138.55
13      25     82.64
14      27    124.08
15      29   -177.68
16      30    130.40
17      32     54.06
18      33    -55.01
19      35    -56.47
20      37     54.27
21      39    -27.64
22      40     56.40
23      42     37.15
24      43    -42.07
25      45     64.10
26      47      0.00
27      48      0.00
【００９３】
＜数値実施例７＞
単位 ｍｍ
面データ
面番号      r         d        nd       νd       θgF     有効径   焦点距離
1      524.15851   4.70000  1.772499   49.60    0.5520    160.469   -182.148
2      110.91335  36.34541                                138.486           
3     -244.54362   4.50000  1.772499   49.60    0.5520    137.256   -285.413
4     2374.01604   0.20000                                136.797           
5      246.43991   9.27710  1.717362   29.51    0.5985    136.723    477.010
6      849.44535   8.84999                                136.150           
7     9950.26863  15.28058  1.496999   81.54    0.5375    134.209    384.261
8     -195.19628   0.20000                                133.528           
9  -133300.93651   4.40000  1.805177   25.43    0.6100    124.381   -275.904
10      224.59410  14.97890  1.496999   81.54    0.5375    119.367    293.588
11     -410.69095  36.08134                                118.397           
12      501.84314  15.67760  1.496999   81.54    0.5375    113.001    301.548
13     -212.34604   0.15000                                113.531           
14      186.74779  12.43394  1.496999   81.54    0.5375    111.728    346.228
15    -2224.30050   0.15000                                110.837           
16      121.46999   8.63668  1.620411   60.29    0.5427    105.077    703.790
17      163.44542    (可変)                                101.985           
18       91.40245   1.50000  1.882997   40.76    0.5667     46.190   -103.877
19       45.55958   6.00000                                 42.135           
20     -326.63484   1.50000  1.772499   49.60    0.5520     41.949   -115.538
21      123.87172   6.20000                                 39.997           
22      -56.71680   1.50000  1.772499   49.60    0.5520     39.289    -61.216
23      296.30202   8.12272  1.808095   22.76    0.6307     39.223     43.140
24      -39.47989   0.67532                                 39.191           
25      -37.40424   1.50000  1.816000   46.62    0.5568     38.306    -55.714
26     -209.87713    (可変)                                 39.628           
27     1644.20254   5.26696  1.620411   60.28    0.5426     46.091    174.264
28     -116.07251   0.20000                                 46.779           
29      268.03029   2.00000  1.806098   40.92    0.5701     47.343    -73.940
30       48.82720  10.62000  1.806100   40.93    0.5713     47.394     47.298
31     -161.28849   0.20000                                 47.414           
32      185.37276   9.08000  1.603112   60.70    0.5410     46.622     90.918
33      -76.85580   2.00000  1.846658   23.89    0.6162     45.628    -68.746
34      252.89402   0.20000                                 44.854           
35      121.78587   6.57000  1.639999   60.09    0.5365     44.764    107.284
36     -155.49372    (可変)                                 44.215           
37        （絞り）  3.44748                                 28.421           
38      -52.81402   1.50000  1.754999   52.32    0.5475     27.588    -19.791
39       21.22673   6.04030  1.808095   22.76    0.6307     27.247     30.129
40      135.04387  10.67407                                 27.084           
41      -27.64787   1.45501  1.806098   40.92    0.5701     27.068    -34.318
42    -4466.97214   3.26289                                 29.470           
43      -69.36172   1.49015  1.882997   40.76    0.5667     30.909    -78.097
44        0.00000   7.50727  1.808350   40.55    0.5692     33.169     36.153
45      -29.39532  10.29002                                 34.555           
46      111.38149   4.87770  1.654115   39.68    0.5737     38.376     92.081
47     -130.56823   0.30000                                 38.359           
48      122.68250   1.50000  2.000690   25.46    0.6133     37.679    -49.496
49       35.29898   9.45258  1.438750   94.66    0.5340     36.345     55.286
50      -71.77760   0.50000                                 36.549           
51       43.95007   9.23296  1.438750   94.66    0.5340     35.956     54.448
52      -49.24904   0.30000                                 35.259           
53      -78.58441   1.50000  1.854780   24.80    0.6122     33.583    -46.942
54       84.33442   4.48156  1.808095   22.76    0.6307     32.394     60.879
55     -118.14761   5.99998                                 31.957           
56        ∞       33.00000  1.608590   46.44    0.5664     50.000           
57        ∞       13.20000  1.516330   64.15    0.5352     50.000           
58        ∞        0.00000                                 50.000           
像面       ∞   
非球面データ
第28面
K = 0.00000e+000  A 4= 2.02647e-007  A 6=-3.37214e-010  A 8= 8.69990e-013  A10=-6.72498e-016  
【００９４】
各種データ
ズーム比     20.00 
焦点距離       7.00    31.30   140.00  
Fナンバー      1.50     1.50     2.00  
画角          38.15     9.97     2.25  
像高           5.50     5.50     5.50  
レンズ全長   535.00   535.00   535.00  
BF             9.99     9.99     9.99  
d17            1.50    75.50   108.63  
d26          156.82    65.87     1.50  
d36            1.69    18.64    49.87  
入射瞳位置   102.09   217.34   632.95  
射出瞳位置   181.42   181.42   181.42  
前側主点位置 109.38   254.36   887.29  
後側主点位置   2.99   -21.31  -130.01  
ズームレンズ群データ
群  始面    焦点距離  レンズ構成長  前側主点位置  後側主点位置
1    1     116.13       171.86       119.14         56.48
2   18     -32.21        27.00         7.27        -12.75
3   27      54.09        36.14         9.68        -12.87
4   37      36.23       130.01        45.33          1.02
単レンズデータ
レンズ  始面  焦点距離
1       1   -182.15
2       3   -285.41
3       5    477.01
4       7    384.26
5       9   -275.90
6      10    293.59
7      12    301.55
8      14    346.23
9      16    703.79
10      18   -103.88
11      20   -115.54
12      22    -61.22
13      23     43.14
14      25    -55.71
15      27    174.26
16      29    -73.94
17      30     47.30
18      32     90.92
19      33    -68.75
20      35    107.28
21      38    -19.79
22      39     30.13
23      41    -34.32
24      43    -78.10
25      44     36.15
26      46     92.08
27      48    -49.50
28      49     55.29
29      51     54.45
30      53    -46.94
31      54     60.88
32      56      0.00
33      57      0.00
【００９５】
【表１】
2018194730.tif 000004
【００９６】
【表２】
2018194730.tif 000005
【符号の説明】
【００９７】
Ｕ１      第１レンズ群
Ｕ２      第２レンズ群
Ｕ３      第３レンズ群
Ｕ４      第４レンズ群
【図１】
2018194730.tif 000006
【図２】
2018194730.tif 000007
【図３】
2018194730.tif 000008
【図４】
2018194730.tif 000009
【図５】
2018194730.tif 000010
【図６】
2018194730.tif 000011
【図７】
2018194730.tif 000012
【図８】
2018194730.tif 000013
【図９】
2018194730.tif 000014
【図１０】
2018194730.tif 000015
【図１１】
2018194730.tif 000016
【図１２】
2018194730.tif 000017
【図１３】
2018194730.tif 000018
【図１４】
2018194730.tif 000019
【図１５】
2018194730.tif 000020
【図１６】
2018194730.tif 000021